【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
有価価値を含む情報が設定された記録媒体を介在させて遊技媒体の貸出を行う遊技媒体の貸出管理システムにおいて、
前記記録媒体を販売する機能と、前記記録媒体の有価価値を消費して所定数の遊技媒体を貸し出す機能と、少なくとも前記記録媒体に設定された情報と自装置で販売した記録媒体の売上に関する情報とを記憶する機能とを具備する複数の端末装置と、
各端末装置との通信により各端末装置に記憶された情報を収集して記憶する情報収集装置とを有し、
各端末装置は、前記記録媒体に設定された情報および記録媒体の売上に関する情報について未送信の記憶情報があるか否かを、情報の種類毎にフラグデータのオン／オフによって管理する情報管理手段と、情報収集装置からのフラグデータの送信要求に応じて前記フラグデータの設定内容を示すデータを情報収集装置に送信する第１の送信手段と、前記第１の送信手段による送信後に前記情報収集装置から記憶情報の送信要求があったとき、要求された情報を情報収集装置に送信する第２の送信手段とを具備し、
前記情報収集装置は、各端末装置に前記フラグデータの送信要求を順に送信する第１の送信要求処理と、前記の送信要求に対し、未送信の記憶情報がある旨を示すデータを返送した端末装置に対しその情報の送信要求を送信する第２の送信要求処理とを、繰り返し実行する遊技媒体の貸出管理システム。
【請求項２】
有価価値を含む情報が設定された記録媒体を介在させて遊技媒体の貸出を行う遊技媒体の貸出管理システムにおいて、
前記記録媒体を販売する機能と、前記記録媒体の有価価値を消費して所定数の遊技媒体を貸し出す機能と、少なくとも前記記録媒体に設定された情報と自装置で販売した記録媒体の売上に関する情報とを記憶する機能とを具備する複数の第１の端末装置と、
前記記録媒体を受け付けてその有価価値を精算する機能と、前記記録媒体の精算額に関する情報を記憶する機能を具備する第２の端末装置と、
前記第１、第２の端末装置との通信により各端末装置に記憶された情報を収集して記憶する情報収集装置とを有し、
各端末装置は、前記記録媒体に設定された情報および記録媒体の売上に関する情報、または記録媒体の精算額に関する情報について未送信の記憶情報があるか否かを、情報の種類毎にフラグデータのオン／オフによって管理する情報管理手段と、情報収集装置からのフラグデータの送信要求に応じて前記フラグデータの設定内容を示すデータを情報収集装置に送信する第１の送信手段と、前記第１の送信手段による送信後に前記情報収集装置から記憶情報の送信要求があったとき、要求された情報を情報収集装置に送信する第２の送信手段とを具備し、
前記情報収集装置は、各端末装置に前記フラグデータの送信要求を順に送信する第１の送信要求処理と、前記の送信要求に対し、未送信の記憶情報がある旨を示すデータを返送した端末装置に対しその情報の送信要求を送信する第２の送信要求処理とを、繰り返し実行する遊技媒体の貸出管理システム。
【請求項３】
前記記憶媒体に設定された情報を記憶する機能を有する端末装置は、当該情報を新たに記憶または更新する都度、その情報に対し未送信フラグをオン設定するとともに、前記情報収集装置からの送信要求を受けたとき、前記未送信フラグがオン設定された情報を送信する請求項１または２に記載された遊技媒体の貸出管理システム。
【請求項４】
前記記録媒体を販売する機能を有する端末装置では、前記記録媒体に設定された情報との照合用の情報を記憶保持し、当該記録媒体が他の端末装置で受け付けられたとき、その端末装置からの送信要求に応じて前記照合用の情報を送信し、
前記送信要求を出した端末装置では、受け付けた記録媒体から読み取った情報を記憶した後、この記憶情報と前記送信要求に応じて送信された情報との照合処理を実行する請求項１または２に記載された遊技媒体の貸出管理システム。
【請求項５】
前記記録媒体を販売する機能を有する端末装置では、自装置が販売した記録媒体に設定された情報との照合用の情報を記憶保持し、当該記録媒体が他の端末装置で受け付けられたとき、その端末装置が記憶媒体より読み取った情報を受信し、その受信情報を前記照合用の情報により照合してその照合結果を前記記憶媒体を受け付けている端末装置に返送する請求項１または２に記載された遊技媒体の貸出管理システム。
【手続補正２】
【補正対象書類名】明細書
【補正対象項目名】００１３
【補正方法】変更
【補正の内容】
【００１３】
【課題を解決するための手段】
この発明にかかる遊技媒体の貸出管理システムは、有価価値を含む情報が設定された記録媒体を介在させて遊技媒体の貸出を行うようにしたものである。
ここで、「記録媒体」とは、一般的にはカード状の記録媒体を指すが、必ずしもカード状である必要はない。この「記録媒体」には、磁気カードの他に、ＩＣカードなども含まれる。
また、「遊技媒体の貸出」とは、遊技媒体を物理的に放出して貸し出すという態様の他に、遊技機に電気信号を伝送して遊技媒体をデータ的に貸し出すという態様も含む概念である。
【手続補正３】
【補正対象書類名】明細書
【補正対象項目名】００１４
【補正方法】変更
【補正の内容】
【００１４】
請求項１の発明の遊戯媒体の貸出管理システムは、前記記録媒体を販売する機能と、前記記録媒体の有価価値を消費して所定数の遊技媒体を貸し出す機能と、少なくとも前記記録媒体に設定された情報と自装置で販売した記録媒体の売上に関する情報とを記憶する機能とを具備する複数の端末装置と、各端末装置との通信により各端末装置に記憶された情報を収集して記憶する情報収集装置とを有する。各端末装置は、前記記録媒体に設定された情報および記録媒体の売上に関する情報について未送信の記憶情報があるか否かを、情報の種類毎にフラグデータのオン／オフによって管理する情報管理手段と、情報収集装置からのフラグデータの送信要求に応じて前記フラグデータの設定内容を示すデータを情報収集装置に送信する第１の送信手段と、前記第１の送信手段による送信後に前記情報収集装置から記憶情報の送信要求があったとき、要求された情報を情報収集装置に送信する第２の送信手段とを具備する。前記情報収集装置は、各端末装置に前記フラグデータの送信要求を順に送信する第１の送信要求処理と、前記の送信要求に対し、未送信の記憶情報がある旨を示すデータを返送した端末装置に対しその情報の送信要求を送信する第２の送信要求処理とを、繰り返し実行する。
【手続補正４】
【補正対象書類名】明細書
【補正対象項目名】００１５
【補正方法】変更
【補正の内容】
【００１５】
ここで、「記録媒体の売上に関する情報」とは、記録媒体の発券枚数や発券金額などの情報を意味し、後述する実施例では、記録媒体の使用額または残金額に係わる情報とともに会計情報を構成する。また「記録媒体に設定された情報」とは、有価価値のほか、発行日、端末装置の装置番号、記録媒体に固有のコード番号などを含めることができる。
【手続補正５】
【補正対象書類名】明細書
【補正対象項目名】００１６
【補正方法】変更
【補正の内容】
【００１６】
請求項２の発明にかかる遊技媒体の貸出管理システムは、記録媒体を販売する機能と、前記記録媒体の有価価値を消費して所定数の遊技媒体を貸し出す機能と、少なくとも前記記録媒体に設定された情報と自装置で販売した記録媒体の売上に関する情報とを記憶する機能とを具備する複数の第１の端末装置と、前記記録媒体を受け付けてその有価価値を精算する機能と、前記記録媒体の精算額に関する情報を記憶する機能を具備する第２の端末装置と、前記第１、第２の端末装置との通信により各端末装置に記憶された情報を収集して記憶する情報収集装置とを有する。各端末装置は、前記記録媒体に設定された情報および記録媒体の売上に関する情報、または記録媒体の精算額に関する情報について未送信の記憶情報があるか否かを、情報の種類毎にフラグデータのオン／オフによって管理する情報管理手段と、情報収集装置からのフラグデータの送信要求に応じて前記フラグデータの設定内容を示すデータを情報収集装置に送信する第１の送信手段と、前記第１の送信手段による送信後に前記情報収集装置から記憶情報の送信要求があったとき、要求された情報を情報収集装置に送信する第２の送信手段とを具備する。前記情報収集装置は、各端末装置に前記フラグデータの送信要求を順に送信する第１の送信要求処理と、前記の送信要求に対し、未送信の記憶情報がある旨を示すデータを返送した端末装置に対しその情報の送信要求を送信する第２の送信要求処理とを、繰り返し実行する。
【手続補正６】
【補正対象書類名】明細書
【補正対象項目名】００１７
【補正方法】変更
【補正の内容】
【００１７】
請求項３の発明は、請求項１または２に記載された遊技媒体の貸出管理システムにおいて、前記記憶媒体に設定された情報を記憶する機能を有する端末装置が、当該情報を新たに記憶または更新する都度、その情報に対し未送信フラグをオン設定するとともに、前記情報収集装置からの送信要求を受けたとき、前記未送信フラグがオン設定された情報を送信するようにしている。
【手続補正７】
【補正対象書類名】明細書
【補正対象項目名】００１８
【補正方法】変更
【補正の内容】
【００１８】
請求項４の発明では、請求項１または２の遊技媒体の貸出管理システムにおいて、前記記録媒体を販売する機能を有する端末装置が、自装置が販売した記録媒体に設定された情報との照合用の情報を記憶保持し、当該記録媒体が他の端末装置で受け付けられたとき、その端末装置からの送信要求に応じて前記照合用の情報を送信する。また、前記送信要求を出した端末装置では、受け付けた記録媒体から読み取った情報と前記送信要求に応じて送信された情報との照合処理を実行する。
【手続補正８】
【補正対象書類名】明細書
【補正対象項目名】００１９
【補正方法】変更
【補正の内容】
【００１９】
請求項５の発明では、請求項１または２の遊技媒体の貸出管理システムにおいて、前記記録媒体を販売する機能を有する端末装置が、自装置が販売した記録媒体に設定された情報との照合用の情報を記憶保持し、当該記録媒体が他の端末装置で受け付けられたとき、その端末装置が記憶媒体より読み取った情報を受信し、その受信情報を前記照合用の情報により照合してその照合結果を前記記憶媒体を受け付けている端末装置に返送する。
【手続補正９】
【補正対象書類名】明細書
【補正対象項目名】００２０
【補正方法】変更
【補正の内容】
【００２０】
【作用】
請求項１の発明にかかる遊技媒体の貸出管理システムでは、記録媒体を販売する機能と遊技媒体を貸し出す機能とを併せもつ端末装置は、記録媒体を販売したときは、記録媒体の売上に関する情報および販売した記録媒体に設定された情報を記憶し、前記販売した記憶媒体を用いた遊技媒体の貸出が行われたときは、前記記録媒体に設定された情報を更新する。
請求項２の発明にかかる遊技媒体の貸出管理システムでは、さらに加えて、記録媒体を精算する機能を持つ端末装置は、記録媒体を精算する度に、記録媒体の精算額に係わる情報を記憶する。
【手続補正１０】
【補正対象書類名】明細書
【補正対象項目名】００２１
【補正方法】変更
【補正の内容】
【００２１】
これら端末装置に対して、情報収集装置は、順次フラグデータの送信要求を送信し、この送信要求に対し、未送信の情報がある旨を示す情報を送信した端末装置に、その未送信情報の送信要求を送信する。
また請求項３の発明にかかる遊技媒体の貸出管理システムでは、記録媒体に設定された情報のうち、未送信フラグが設定された情報のみが情報収集装置に送信される。
【手続補正１１】
【補正対象書類名】明細書
【補正対象項目名】０１１１
【補正方法】変更
【補正の内容】
【０１１１】
【発明の効果】
この発明では、記録媒体の売上に関する情報や記録媒体に設定された情報、さらには記録媒体の精算額に関する情報を端末装置で記憶しておき、情報収集装置から情報の送信要求があったとき、各端末装置から、記憶している情報を情報収集装置へ送信するようにしたから、各端末装置と情報収集装置との間の通信頻度が減り、混線などのトラブルが発生するおそれがない。
また、遊技場の開店時などに、遊技者がカードを一斉に購入して使用することがあっても、各端末装置と情報収集装置との間で通信が混雑することがなく、それが原因でカードの購入や遊技媒体の借受に時間がかかるようなことがなく、遊技客に不満を抱かせるおそれがない。
【手続補正１２】
【補正対象書類名】明細書
【補正対象項目名】０１１２
【補正方法】変更
【補正の内容】
【０１１２】
さらに、この発明では、端末装置側で、未送信の記憶情報があるか否かをフラグデータのオン／オフによって管理するとともに、情報収集装置から各端末装置にフラグデータの送信要求を出し、この送信要求に対し、未送信の記憶情報がある旨を示すデータを返送した端末装置に対してのみ記憶情報の送信要求を行うようにしたから、情報の変更もしくは更新のあった端末装置を容易に特定でき、情報の収集を効率良く行うことができるという効果がある。